(57)【要約】【課題】色変換効率及び外部光抽出効率を向上させる自発光表示装置を提供する。【解決手段】一実施形態による自発光表示装置は、駆動薄膜トランジスタを含む回路基板と、前記回路基板上に配置されたカラーフィルタパターンを含む基板、基板上に配置されたパッシベーション膜、パッシベーション膜上に配置され、基板のカラーフィルタパターンと重畳した色変換パターン、及びパッシベーション膜と色変換パターン上に配置された発光層を含み、発光層は、平坦部と凸部とを含み、凸部は、色変換パターン上に配置され、平坦部に対して凸状の形状を有する。【選択図】図１
2020057605.tif 000002
【特許請求の範囲】
【請求項１】
駆動薄膜トランジスタを含む回路基板と、前記回路基板上に配置されたカラーフィルタパターンを含む基板；
前記基板上に配置されたパッシベーション膜；
前記パッシベーション膜上に配置され、前記カラーフィルタパターンと重畳した色変換パターン；及び
前記パッシベーション膜上に配置され、平坦部と凸部を含む発光層であって、前記凸部が、前記色変換パターン上に配置され、前記平坦部に対して凸状の形状を有する、発光層；
を含む自発光表示装置。
【請求項２】
前記平坦部と前記パッシベーション膜との間に配置された第１パートと、前記凸部と前記色変換パターンとの間に配置された第２パートとを含むアノードであって、前記第２パートが前記第１パートに対して凸状の形状を有する、アノード；
をさらに含み、
前記パッシベーション膜は、前記第１パートと前記駆動薄膜トランジスタが互いに重畳する領域に対応するコンタクト孔を含み、
前記アノードは、前記コンタクト孔を介して前記駆動薄膜トランジスタと電気的に連結された、
請求項１に記載の自発光表示装置。
【請求項３】
画素を区画し、前記パッシベーション膜上に配置され、前記アノードの縁を覆う画素定義膜；
をさらに含み、
前記平坦部は、前記画素定義膜上に配置された、
請求項２に記載の自発光表示装置。
【請求項４】
前記カラーフィルタパターンは、互いに離隔して配置された赤色フィルタ部、緑色フィルタ部及び青色フィルタ部を含み、
前記色変換パターンは、前記赤色フィルタ部と重畳する赤色変換部と、前記緑色フィルタ部と重畳する緑色変換部とを含む、
請求項１に記載の自発光表示装置。
【請求項５】
前記発光層上に配置されたカソード；及び、
前記カソード上に配置された封止層；
をさらに含む、
請求項１に記載の自発光表示装置。
【請求項６】
基板；及び、
前記基板上に配置された、第１の発光素子及び第１の色変換部と重畳する第１の色フィルタ部を含み、
前記第１の色変換部は、第１の色変換物質を含み、且つテーパー状のエッジを有し、
前記第１の色フィルタ部は、前記第１の色変換部に重畳する第１の副画素を含み、
前記第１の発光素子は、前記第１の色変換部上に配置される、
表示装置。
【請求項７】
前記第１の発光素子は、アノードを含み、
前記アノードは、第一部分と第二部分とを含み、
前記第二部分は、前記第１の色変換部のテーパー状のエッジに重畳し、前記第一部分より脹らんで突出する、
請求項６に記載の表示装置。
【請求項８】
前記アノードの前記第一部分に重畳する画素定義膜をさらに含む、
請求項７に記載の表示装置。
【請求項９】
前記第１の色変換部の前記テーパー状のエッジは、前記アノードの前記第一部分より脹らんで突出する、
請求項７に記載の表示装置。
【請求項１０】
前記第１の色フィルタ部と前記第１の色変換部との間に配置されるパッシベーション膜をさらに含む、
請求項７に記載の表示装置。
【請求項１１】
前記第１の副画素は、前記基板上に配置される駆動薄膜トランジスタをさらに含み、
前記パッシベーション膜は、前記アノードの前記第一部分と前記駆動薄膜トランジスタが互いに重畳する領域に配置されたコンタクト孔を含み、
前記アノードの前記第一部分は、前記コンタクト孔を介して前記駆動薄膜トランジスタと電気的に連結される、
請求項１０に記載の表示装置。
【請求項１２】
前記第１の色変換部が前記第１の色フィルタ部に重畳する前記パッシベーション膜から前記アノードが離隔するように、前記第１の色変換部は、前記アノードと前記パッシベーション膜との間に配置される、
請求項１０に記載の表示装置。
【請求項１３】
前記第１の色変換部は、前記基板から脹らんで突出する、
請求項６に記載の表示装置。
【請求項１４】
前記第１の発光素子は、カソードをさらに含み、
前記カソードは、平坦部と凸部を含み、
前記凸部は、前記平坦部より脹らんで突出し、
前記カソードの前記凸部は、前記第１の色変換部及び前記第１の色フィルタ部に重畳する、
請求項６に記載の表示装置。
【請求項１５】
前記基板上に配置され、第２の発光素子及び第２の色フィルタ部を含む第２の副画素をさらに含み、
前記第２の発光素子は、カソードを含み、
前記カソードは、前記平坦部及び前記平坦部より凹んだ凹部を含み、
前記第２の副画素の前記カソードの前記凹部は、前記第２の色フィルタ部に重畳する、
請求項１４に記載の表示装置。
【請求項１６】
前記第２の発光素子は、
アノード；及び、
前記第２の色フィルタ部と前記第２の発光素子のアノードとの間に配置されるパッシベーション膜をさらに含み、
前記パッシベーション膜は、前記第２の色フィルタ部に重畳する前記第２の発光素子のアノードに全体として直接に接する、
請求項１５に記載の表示装置。
【請求項１７】
前記第２の発光素子は、青色光を放出する、
請求項１５に記載の表示装置。
【請求項１８】
前記第１の副画素がレンズ状を有し、外部光抽出効率が向上するように、前記第１の色変換部は、テーパー状のエッジを有する、
請求項６に記載の表示装置。
【発明の詳細な説明】
【技術分野】
【０００１】
本発明は、自発光表示装置に関する。
【背景技術】
【０００２】
表示装置は、データを視覚的に表示する装置である。情報化社会の発展に伴い、画像を表示する表示装置の様々な形態への要求が増えつつある。このような表示装置として、液晶表示装置（ＬＣＤ：ｌｉｑｕｉｄ  ｃｒｙｓｔａｌ  ｄｉｓｐｌａｙ）と、有機電界表示装置（ＯＬＥＤ：ｏｒｇａｎｉｃ  ｌｉｇｈｔ  ｅｍｉｔｔｉｎｇ  ｄｉｏｄｅ  ｄｉｓｐｌａｙ  ｄｅｖｉｃｅ）が主に活用されている。
【０００３】
有機電界表示装置は、有機エレクトロルミネッセンス素子を用いて画像を表示する。
【０００４】
有機エレクトロルミネッセンス素子は、有機物質を用いて電気エネルギーを光エネルギーに転換させる自発光表示装置である。通常、有機エレクトロルミネッセンス素子は、アノードとカソードとの間に有機膜が配置した構造を有する。アノードとカソードとの間に電圧をかけると、アノードに正孔が注入され、カソードに電子が注入される。このとき、有機膜で正孔と電子が会うと、励起子が発生する。このような励起子が基底状態に落ちる際に光が発生する。
【０００５】
有機膜は、有機エレクトロルミネッセンス素子の効率と安全性を向上させるために、各々異なる物質から構成された多層の積層構造からなる。例えば、有機膜は、正孔注入層、正孔輸送層、発光層、電子輸送層及び電子注入層等を含んでいてもよい。
【０００６】
一方、表示装置は、カラーを表示するためにカラーフィルタカラーフィルタ（ｃｏｌｏｒ  ｆｉｌｔｅｒ）を含んでいてもよい。
【０００７】
カラーフィルタは、光源から出る光から、所定色相の波長帯域の光を透過させ、他の波長の光を吸収する光学部品である。例えば、カラーフィルタは、赤色波長帯の光、緑色波長帯の光、青色波長帯の光を透過させ、他の波長の光を吸収し得る。カラーフィルタは、表現しようとする所定色相の波長帯の光を除いた他の波長帯の光を吸収するため、カラーフィルタによって光透過率ないし光効率が低下し得る。
【発明の概要】
【発明が解決しようとする課題】
【０００８】
本発明は、色変換効率を向上させる自発光表示装置を提供する。
【０００９】
また、本発明は、外部光抽出効率を向上させる自発光表示装置を提供する。
【００１０】
発明が解決しようとする課題は、以上で言及したことに制限されず、言及していない課題は、下記の記載から当業者にとって明確に理解される。
【課題を解決するための手段】
【００１１】
本明細書による自発光表示装置は、ＣＯＴ（ｃｏｌｏｒ  ｆｉｌｔｅｒ  ｏｎ  ｔｈｉｎ  ｆｉｌｍ  ｔｒａｎｓｉｓｔｏｒ）基板、パッシベーション膜、及び色変換パターン及び発光層を含む。
【００１２】
前記ＣＯＴ基板は、回路基板と、前記回路基板上に配置されたカラーフィルタパターンとを含む。前記パッシベーション膜は、前記ＣＯＴ基板上に配置され、前記色変換パターンは、前記カラーフィルタパターンと重畳する領域で前記パッシベーション膜上に配置される。
【００１３】
前記発光層は、前記パッシベーション膜上に配置された平坦部と前記色変換パターン上に配置され、前記平坦部を基準として突き出た凸部を含む。前記平坦部と前記凸部は、互いに連結される。
【００１４】
その他実施形態の具体的な事項は、詳細な説明及び図面に含まれている。
【発明の効果】
【００１５】
本明細書による自発光表示装置は、パッシベーション膜上に色変換パターンが配置されるため、色変換パターンを厚く設計することができ、色変換効率を向上させる。
【００１６】
また、本明細書による自発光表示装置は、パッシベーション膜にコンタクト孔を形成した後に色変換パターンを形成することができ、サブピクセル間のコンタクト孔の均一性を向上させる。従って、本発明による自発光表示装置は、サブピクセル間のコンタクト孔のばらつきがアノードの電気的特性に及ぶ影響を最小限にすることができる。
【００１７】
また、本発明による自発光表示装置は、色変換パターンのテーパー特性によってレンズ状のサブピクセルの構造化が可能であるため、外部光抽出効率を向上させる。
【００１８】
本明細書による自発光表示装置の効果は、以上に例示した内容によって制限されず、より多様な効果が本明細書内に含まれている。
【図面の簡単な説明】
【００１９】
【図１】本明細書による自発光表示装置の模式図。
【図２】図１のＩ領域の模式的な断面図。
【図３】図１のＩＩ領域の模式的な断面図。
【図４】図１のＩＩＩ領域の模式的な断面図。
【発明を実施するための形態】
【００２０】
発明の利点及び特徴、そしてそれらを達成する方法は、添付の図面と共に詳細に後述される実施形態と実験例を参照すれば明確になる。添付の図面は、本明細書に開示した技術思想を理解しやすくするためのものであり、添付の図面によってその技術思想が制限されると解釈されてはならないことに留意すべきである。
【００２１】
また、発明は、以下に開示する内容に限定されるものではなく、様々な形態に具現することができ、以下に開示する内容は、発明の開示を完全にして、発明が属する技術分野における通常の知識を有する者に発明の範疇を完全に知らせるために提供されるものであり、発明は、請求項の範疇によって定義されるだけである。
【００２２】
関連する公知技術に対する具体的な説明が技術の要旨を曖昧にすると判断される場合にはその詳説を省略する。
【００２３】
たとえ第１、第２等が多様な構成要素を述べるために使われるものの、これら構成要素は、これら用語によって制限されないことは勿論である。これら用語は、単に一つの構成要素を他の構成要素と区別するために使うものであって、特に反対の記載がない限り、第１の構成要素は、第２の構成要素であってもよいことは勿論である。
【００２４】
全明細書において、特に反対の記載がない限り、各構成要素は、単数であっても、複数であってもよい。
【００２５】
全明細書において、ある部分がある構成要素を「含む」、「有する」とするとき、これは、特に反対の記載がない限り、他の構成要素を除くものではなく、他の構成要素をさらに含んでいてもよいことを意味する。
【００２６】
全明細書において、「Ａ及び／又はＢ」とするとき、これは、特に反対の記載がない限り、Ａ、Ｂ又はＡ及びＢを意味し、「ＣないしＤ」とするとき、これは、特に反対の記載がない限り、Ｃ以上でありＤ以下であることを意味する。
【００２７】
素子（ｅｌｅｍｅｎｔｓ）又は層の異なる素子又は層の「上」と称されることは、他の素子又は層の真上のみならず、中間に他の層又は他の素子を介した場合をいずれも含む。一方、素子が「直接に上」又は「真上」と称されることは、中間に他の素子又は層を介していないことを示す。
【００２８】
空間的に相対的な用語である「下」、「下部」、「上」、「上部」等は、図面に示されているように、一つの素子又は構成要素と他の素子又は構成要素との相関関係を容易に記述するために使用され得る。空間的に相対的な用語は、図面に示されている方向に加え、使用時又は動作時に素子の異なる方向を含む用語と理解しなければならない。
【００２９】
以下では、図面を参考にして、発明についてより詳細に説明する。
【００３０】
図１は、本明細書による自発光表示装置１０００の模式図である。
【００３１】
自発光表示装置１０００は、各画素がマトリックス状に配列された表示領域と、表示領域の周りに配置された非表示領域とを含み、表示領域は、自発光表示装置１０００で生成されたイメージ又は情報を視聴者が視認できる領域であり、非表示領域は、自発光表示装置１０００で生成されたイメージ又は情報を視聴者が視認できない領域で、通常、ベゼル領域と呼ばれる。自発光表示装置１０００は、複数の画素を含み、図１は、自発光表示装置１０００に備えられた複数の画素のうち一つの画素を示したものである。
【００３２】
画素は、副画素に区画でき、副画素は、第１の副画素、第２の副画素、第３の副画素及び第４の副画素に区分され、例えば、第１の副画素は赤色画素、第２の副画素は緑色画素、第３の副画素は青色画素、第４の副画素は白色画素であってもよい。
【００３３】
自発光表示装置１０００は、各画素別に上部封止層（ＥＣ）、有機エレクトロルミネッセンス素子（ＯＬＥＤ）及び下部基板を含む。有機エレクトロルミネッセンス素子（ＯＬＥＤ）は、上部封止層（ＥＣ）と下部基板との間に配置される。下部基板は、ＣＯＴ（ｃｏｌｏｒ  ｆｉｌｔｅｒ  ｏｎ  ｔｈｉｎ  ｆｉｌｍ  ｔｒａｎｓｉｓｔｏｒ）基板、ＣＯＴ基板上に配置されたパッシベーション膜（ＰＡＣ）及び色変換パターンを含む。
【００３４】
ＣＯＴ基板は、回路基板と回路基板上に配置されたカラーフィルタパターンを含み、回路基板は、基板（Ｓｕｂ）と、基板（Ｓｕｂ）上に配置された薄膜トランジスタアレイ（ＴＦＴ  Ａｒｒａｙ）とを含む。カラーフィルタパターンは、薄膜トランジスタアレイ（ＴＦＴ  Ａｒｒａｙ）上に配置される。
【００３５】
パッシベーション膜（ＰＡＣ）は、ＣＯＴ基板上に配置され、有機エレクトロルミネッセンス素子（ＯＬＥＤ）とＣＯＴ基板との間に配置される。色変換パターンは、カラーフィルタパターンと重畳する領域でパッシベーション膜（ＰＡＣ）上に配置される。
【００３６】
カラーフィルタパターンは、第１のカラーフィルタ部（Ｒ−ＣＦ）、第２のカラーフィルタ部（Ｇ−ＣＦ）、第３のカラーフィルタ部（Ｂ−ＣＦ）及び第４のカラーフィルタ部（Ｗ−ＣＦ）を含む。例えば、第１のカラーフィルタ部（Ｒ−ＣＦ）は、赤色画素に配置された赤色フィルタ部、第２のカラーフィルタ部（Ｇ−ＣＦ）は、緑色画素に配置された緑色フィルタ部、第３のカラーフィルタ部（Ｂ−ＣＦ）は、青色画素に配置された青色フィルタ部、第４のカラーフィルタ部（Ｗ−ＣＦ）は、白色画素に配置された白色フィルタ部であってもよい。
【００３７】
第１のカラーフィルタ部（Ｒ−ＣＦ）が赤色画素に配置された赤色フィルタ部、第２のカラーフィルタ部（Ｇ−ＣＦ）が緑色画素に配置された緑色フィルタ部、第３のカラーフィルタ部（Ｂ−ＣＦ）が青色画素に配置された青色フィルタ部である場合を仮定し、以下では、第１のカラーフィルタ部（Ｒ−ＣＦ）、第２のカラーフィルタ部（Ｇ−ＣＦ）及び第３のカラーフィルタ部（Ｂ−ＣＦ）について詳説する。
【００３８】
第１のカラーフィルタ部（Ｒ−ＣＦ）は、赤色波長帯の光のみを透過させ、例えば、緑色波長帯の光と青色波長帯の光を吸収する。第１のカラーフィルタ部（Ｒ−ＣＦ）には赤色色素が含まれる。赤色色素は、特に制限されず、例えば、Ｃ．Ｉ．ピグメントレッド１７７、Ｃ．Ｉ．ピグメントレッド２５４、Ｃ．Ｉ．ピグメントレッド７、Ｃ．Ｉ．ピグメントレッド９、Ｃ．Ｉ．ピグメントレッド１４、Ｃ．Ｉ．ピグメントレッド４１、Ｃ．Ｉ．ピグメントレッド８１、Ｃ．Ｉ．ピグメントレッド９７、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１４９、Ｃ．Ｉ．ピグメントレッド１５５、Ｃ．Ｉ．ピグメントレッド１６６、Ｃ．Ｉ．ピグメントレッド１６８、Ｃ．Ｉ．ピグメントレッド１６９、Ｃ．Ｉ．ピグメントレッド１７６、Ｃ．Ｉ．ピグメントレッド１７８、Ｃ．Ｉ．ピグメントレッド１８０、Ｃ．Ｉ．ピグメントレッド１８４、Ｃ．Ｉ．ピグメントレッド１８５、Ｃ．Ｉ．ピグメントレッド１８７、Ｃ．Ｉ．ピグメントレッド１９２、Ｃ．Ｉ．ピグメントレッド２００、Ｃ．Ｉ．ピグメントレッド２２０、Ｃ．Ｉ．ピグメントレッド２２３、Ｃ．Ｉ．ピグメントレッド２２４、Ｃ．Ｉ．ピグメントレッド２２６、Ｃ．Ｉ．ピグメントレッド２２７、Ｃ．Ｉ．ピグメントレッド２２８、Ｃ．Ｉ．ピグメントレッド２４０、Ｃ．Ｉ．ピグメントレッド２４２、Ｃ．Ｉ．ピグメントレッド２４６、Ｃ．Ｉ．ピグメントレッド２５５、Ｃ．Ｉ．ピグメントレッド２６４、Ｃ．Ｉ．ピグメントレッド２７０、Ｃ．Ｉ．ピグメントレッド２７２、Ｃ．Ｉ．ピグメントレッド２７３、Ｃ．Ｉ．ピグメントレッド２７６又はＣ．Ｉ．ピグメントレッド２７７等であってもよい。
【００３９】
第２のカラーフィルタ部（Ｇ−ＣＦ）は、緑色波長帯の光のみを透過させ、例えば、赤色波長帯の光と青色波長帯の光を吸収する。第２のカラーフィルタ部（Ｇ−ＣＦ）には緑色色素が含まれる。緑色色素は、特に制限されず、例えば、Ｃ．Ｉ．ピグメントグリーン７又はＣ．Ｉ．ピグメントグリーンＰＧ３６等のフタロシアニン系化合物であってもよい。
【００４０】
第３のカラーフィルタ部（Ｂ−ＣＦ）は、青色波長帯の光のみを透過させ、例えば、赤色波長帯の光と緑色波長帯の光を吸収する。第３のカラーフィルタ部（Ｂ−ＣＦ）には青色色素が含まれる。青色色素は、特に制限されず、例えば、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１６、Ｃ．Ｉ．ピグメントブルー２２、Ｃ．Ｉ．ピグメントブルー６０又はＣ．Ｉ．ピグメントブルー６４等であってもよい。
【００４１】
パッシベーション膜（ＰＡＣ）は、ＣＯＴ基板の表面を平坦化することができ、カラーフィルタパターン上に配置された第１部分と、薄膜トランジスタアレイ（ＴＦＴ  Ａｒｒａｙ）上に配置された第２部分とを含む。パッシベーション膜（ＰＡＣ）は、単一膜であって、第１部分は、第２部分と連結され、第１部分のうち少なくとも一つは、第２部分の間に配置されてもよい。
【００４２】
色変換パターンは、パッシベーション膜（ＰＡＣ）上に配置され、具体的には、第１のカラーフィルタ部（Ｒ−ＣＦ）と重畳するように配置された第１の色変換部（Ｒ−ＣＣＭ）と、第２のカラーフィルタ部（Ｇ−ＣＦ）と重畳するように配置された第２の色変換部（Ｇ−ＣＣＭ）から構成されてもよい。例えば、第１の色変換部（Ｒ−ＣＣＭ）は、赤色画素に配置され、入射光を赤色波長帯の光、すなわち、赤色光に変換する赤色変換部であってもよく、第２の色変換部（Ｒ−ＣＣＭ）は、入射光を緑色波長帯の光、すなわち、緑色光に変換する緑色変換部であってもよい。
【００４３】
第１の色変換部（Ｒ−ＣＣＭ）と第２の色変換部（Ｇ−ＣＣＭ）は、色変換物質を含み、色変換物質は例えば、量子ドット（Ｑｕａｎｔｕｍ  Ｄｏｔ）、蛍光染料又はこれらの組み合わせであってもよい。蛍光染料は例えば、有機蛍光物質、無機蛍光物質及びこれらの組み合わせを含む。
【００４４】
量子ドットは、ＩＩ−ＶＩ族化合物、ＩＩＩ−Ｖ族化合物、ＩＶ−ＶＩ族化合物、ＩＶ族元素、ＩＶ族化合物、及びこれらの組み合わせから選択されてもよいが、これらに制限されるものではない。ＩＩ−ＶＩ族化合物は、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＭｇＳｅ、ＭｇＳ、及びこれらの混合物からなる群から選択される二元素化合物；ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＭｇＺｎＳｅ、ＭｇＺｎＳ、及びこれらの混合物からなる群から選択される三元素化合物；及びＨｇＺｎＴｅＳ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、及びこれらの混合物からなる群から選択される四元素化合物からなる群から選択されてもよい。ＩＩＩ−Ｖ族化合物は、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、及びこれらの混合物からなる群から選択される二元素化合物；ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、及びこれらの混合物からなる群から選択される三元素化合物；及びＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、及びこれらの混合物からなる群から選択される四元素化合物からなる群から選択されてもよい。ＩＶ−ＶＩ族化合物は、ＳｎＳ、ＳｎＳｅ、ＳｎＴｅ、ＰｂＳ、ＰｂＳｅ、ＰｂＴｅ、及びこれらの混合物からなる群から選択される二元素化合物；ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、及びこれらの混合物からなる群から選択される三元素化合物；及びＳｎＰｂＳＳｅ、ＳｎＰｂＳｅＴｅ、ＳｎＰｂＳＴｅ、及びこれらの混合物からなる群から選択される四元素化合物からなる群から選択されてもよい。ＩＶ族元素としては、Ｓｉ、Ｇｅ、及びこれらの混合物からなる群から選択されてもよい。ＩＶ族化合物としては、ＳｉＣ、ＳｉＧｅ、及びこれらの混合物からなる群から選択される二元素化合物であってもよい。
【００４５】
このとき、二元素化合物、三元素化合物又は四元素化合物は、均一な濃度で粒子内に存在するか、濃度の分布が部分的に異なる状態に分けられて、同一の粒子内に存在してもよい。また、一つの量子ドットが他の量子ドットを取り囲むコア／シェル構造を有してもよい。コアとシェルの界面は、シェルに存在する元素の濃度が中心に行くほど低くなる濃度勾配（ｇｒａｄｉｅｎｔ）を有してもよい。
【００４６】
量子ドットは、約４５ｎｍ以下、好ましくは約４０ｎｍ以下、さらに好ましくは約３０ｎｍ以下の発光波長スペクトルの半値幅（ｆｕｌｌ  ｗｉｄｔｈ  ｏｆ  ｈａｌｆ  ｍａｘｉｍｕｍ、ＦＷＨＭ）を有してもよく、この範囲で色純度や色再現性を向上させる。また、このような量子ドットを介して発光する光は、前方向に放出するところ、光視野角が向上する。
【００４７】
また、量子ドットの形態は、通常に用いる形態のものであって、特に限定しないが、より具体的には球状、ピラミッド状、多重枝状（ｍｕｌｔｉ−ａｒｍ）、又は立方体（ｃｕｂｉｃ）のナノ粒子、ナノチューブ、ナノワイヤ、ナノ繊維、ナノ板状粒子等の形態のものを用いてもよい。
【００４８】
蛍光染料は例えば、赤色蛍光染料、緑色蛍光染料、その他第３の色相の光を発光する染料、又はこれらの組み合わせであってもよい。赤色蛍光染料は、緑色波長帯の光を吸収して赤色波長帯の光を発光する物質であって、例えば、（Ｃａ、Ｓｒ、Ｂａ）Ｓ、（Ｃａ、Ｓｒ、Ｂａ）２Ｓｉ５Ｎ８、カズン（ＣａＡｌＳｉＮ３）、ＣａＭｏＯ４、Ｅｕ２Ｓｉ５Ｎ８のうち少なくとも一つであってもよい。緑色蛍光染料は、青色波長帯の光を吸収して緑色波長帯の光を発光する物質であって、例えば、イットリウムアルミニウムガーネット（ｙｔｔｒｉｕｍ  ａｌｕｍｉｎｕｍ  ｇａｒｎｅｔ，ＹＡＧ）、（Ｃａ、Ｓｒ、Ｂａ）２ＳｉＯ４、ＳｒＧａ２Ｓ４、バリウムマグネシウムアルミネート（ＢＡＭ）、αサイアロン（α−ＳｉＡｌＯＮ）、βサイアロン（β−ＳｉＡｌＯＮ）、Ｃａ３Ｓｃ２Ｓｉ３Ｏ１２、Ｔｂ３Ａｌ５Ｏ１２、ＢａＳｉＯ４、ＣａＡｌＳｉＯＮ、（Ｓｒ１−ｘＢａｘ）Ｓｉ２Ｏ２Ｎ２のうち少なくとも一つであってもよい。
【００４９】
有機エレクトロルミネッセンス素子（ＯＬＥＤ）は、下部基板上に配置され、具体的には、色変換パターン上に配置された一部の領域とパッシベーション膜（ＰＡＣ）上に配置された他の一部の領域から構成されてもよい。上部封止層（ＥＣ）は、有機エレクトロルミネッセンス素子（ＯＬＥＤ）上に配置される。上部封止層（ＥＣ）は、有機エレクトロルミネッセンス素子（ＯＬＥＤ）上に配置され、外部から水気又は空気等が有機エレクトロルミネッセンス素子（ＯＬＥＤ）へ浸透することを防ぎ、外部の衝撃から有機エレクトロルミネッセンス素子（ＯＬＥＤ）を保護する。
【００５０】
有機エレクトロルミネッセンス素子（ＯＬＥＤ）は、白色光（Ｗ）を出射する。色変換パターンは、入射した白色光のうち短波長の光を長波長の光に変換して出射する。色変換パターンから出射した長波長の光は、カラーフィルタパターンに入射し、カラーフィルタパターンは、入射した光のうち特定波長帯の光のみを選択的に透過させ、残りの波長帯の光を吸収する。自発光表示装置１０００は、カラーフィルタパターンを透過した光を用いて色相を具現することができる。
【００５１】
赤色画素における白色光（Ｗ）は、第１の色変換部（Ｒ−ＣＣＭ）、パッシベーション膜（ＰＡＣ）、赤色フィルタ部（Ｒ−ＣＦ）の順に経由して、自発光表示装置１０００から赤色光（Ｒ）として出射し得る。緑色画素における白色光（Ｗ）は、第２の色変換部（Ｇ−ＣＣＭ）、パッシベーション膜（ＰＡＣ）、緑色フィルタ部（Ｇ−ＣＦ）の順に経由して、自発光表示装置１０００から緑色光（Ｇ）として出射し得る。青色画素における白色光（Ｗ）は、パッシベーション膜（ＰＡＣ）と第３のカラーフィルタ部（Ｂ−ＣＦ）を経由して、自発光表示装置１０００から青色光（Ｂ）として出射し得る。白色画素における白色光（Ｗ）は、パッシベーション膜（ＰＡＣ）と第４のカラーフィルタ部（Ｗ−ＣＦ）を経由して、自発光表示装置１０００から白色光（Ｗ）として出射し得る。
【００５２】
第１の色変換部（Ｒ−ＣＣＭ）は、入射した白色光（Ｗ）の一部を赤色光（Ｒ）に変換して、赤色光（Ｒ）を第１のカラーフィルタ部（Ｒ−ＣＦ）に出射し、第１のカラーフィルタ部（Ｒ−ＣＦ）は、入射した光のうち赤色光（Ｒ）のみを透過させることで、自発光表示装置１０００が赤色を具現するようにする。第２の色変換部（Ｇ−ＣＣＭ）は、入射した白色光（Ｗ）の一部を緑色光（Ｇ）に変換して、緑色光（Ｇ）を第２のカラーフィルタ部（Ｇ−ＣＦ）に出射し、第２のカラーフィルタ部（Ｇ−ＣＦ）は、入射した光のうち緑色光（Ｇ）のみを透過させることで、自発光表示装置１０００が緑色を具現するようにする。
【００５３】
第３のカラーフィルタ部（Ｂ−ＣＦ）は、入射した白色光（Ｗ）のうち青色光（Ｂ）のみを透過させることで、自発光表示装置１０００が青色を具現するようにする。第４のカラーフィルタ部（Ｗ−ＣＦ）は、入射した白色光（Ｗ）を透過させる。
【００５４】
図２は、図１のＩ領域の模式的な断面図である。
【００５５】
有機エレクトロルミネッセンス素子（ＯＬＥＤ）は、駆動薄膜トランジスタ（Ｔｄ）と電気的に連結されて発光し、アノード（Ａ）、カソード（Ｃ）及び有機膜（ＯＧ）を含む。有機膜（ＯＧ）は、アノード（Ａ）とカソード（Ｃ）との間に配置される。
【００５６】
第１のカラーフィルタ部（Ｒ−ＣＦ）及び第２のカラーフィルタ部（Ｇ−ＣＦ）は、回路基板上に配置され、パッシベーション膜（ＰＡＣ）は、ＣＯＴ（ｃｏｌｏｒ  ｆｉｌｔｅｒ  ｏｎ  ｔｈｉｎ  ｆｉｌｍ  ｔｒａｎｓｉｓｔｏｒ）基板上に配置される。第１の色変換部（Ｒ−ＣＣＭ）及び第２の色変換部（Ｇ−ＣＣＭ）は、パッシベーション膜（ＰＡＣ）上に配置され、第１の色変換部（Ｒ−ＣＣＭ）は、第１のカラーフィルタ部（Ｒ−ＣＦ）と重畳するように配置され、第２の色変換部（Ｇ−ＣＣＭ）は、第２のカラーフィルタ部（Ｇ−ＣＦ）と重畳するように配置される。
【００５７】
第１の色変換部（Ｒ−ＣＣＭ）と第１のカラーフィルタ部（Ｒ−ＣＦ）の間及び第２の色変換部（Ｇ−ＣＣＭ）と第２のカラーフィルタ部（Ｇ−ＣＦ）の間には、パッシベーション膜（ＰＡＣ）の第１部分が介される。パッシベーション膜（ＰＡＣ）の第２部分にはコンタクト孔３７２が備えられてもよい。
【００５８】
赤色画素におけるアノード（Ａ）は、パッシベーション膜（ＰＡＣ）上に配置される第１パート（ＡＦ）と、第１の色変換部（Ｒ−ＣＣＭ）上に配置された第２パート（ＡＰ）とを含めて構成されてもよく、アノード（Ａ）の第１パート（ＡＦ）は、コンタクト孔３７２を介して駆動薄膜トランジスタ（Ｔｄ）と電気的に連結されてもよい。第２のパート（ＡＰ）は、第１の色変換部（Ｒ−ＣＣＭ）の表面に沿って形成され、第１のパート（ＡＦ）を基準として凸状の形態を有する。
【００５９】
緑色画素におけるアノード（Ａ）は、パッシベーション膜（ＰＡＣ）上に配置される第１パート（ＡＦ）と、第２の色変換部（Ｇ−ＣＣＭ）上に配置された第２パート（ＡＰ）とを含めて構成されてもよく、アノード（Ａ）の第１パート（ＡＦ）は、コンタクト孔３７２を介して駆動薄膜トランジスタ（Ｔｄ）と電気的に連結されてもよい。第２パート（ＡＰ）は、第２の色変換部（Ｇ−ＣＣＭ）の表面に沿って形成され、第１パート（ＡＦ）を基準として凸状の形態を有する。
【００６０】
画素定義膜３８０は、画素を区画する機能を行い、駆動薄膜トランジスタ（Ｔｄ）の上部でアノード（Ａ）の第１パート（ＡＦ）上に配置されてもよい。画素定義膜３８０上には、有機膜（ＯＧ）の平坦部（ＯＧＦ）が配置されてもよい。画素定義膜３８０は、アノード（Ａ）の一部が露出するようにパターニングされてもよく、アノード（Ａ）の一部が露出するようにパターニングされた画素定義膜３８０の一部には、有機膜（ＯＧ）が配置されてもよい。
【００６１】
赤色画素及び緑色画素において、アノード（Ａ）上に順に配置された有機膜（ＯＧ）とカソード（Ｃ）は、それぞれ平坦部（ＣＦ）と平坦部（ＣＦ）を基準として凸状の凸部（ＣＰ）を有する。有機膜（ＯＧ）及びカソード（Ｃ）の凸部（ＯＧＰ、ＣＰ）は、アノード（Ａ）の第２パート（ＡＰ）の表面に沿って形成される。有機膜（ＯＧ）の平坦部（ＯＧＦ）とカソード（Ｃ）の平坦部（ＣＦ）は、画素定義膜３８０上に順に形成され、有機膜（ＯＧ）の凸部（ＯＧＰ）とカソード（Ｃ）の凸部（ＣＰ）は、アノード（Ａ）の第２パート（ＡＰ）上に順に形成される。有機膜（ＯＧ）の平坦部（ＯＧＦ）の一部及びカソード（Ｃ）の平坦部（ＣＦ）の一部は、パッシベーション膜（ＰＡＣ）の第２部分と重畳してもよい。
【００６２】
自発光表示装置１０００は、アノード（Ａ）の方向に画像を具現する背面発光型構造であって、アノード（Ａ）は、光透過型電極から構成されてもよく、カソード（Ｃ）は、反射型電極から構成されてもよい。光透過型電極は例えば、ＩＴＯ、ＩＺＯ、ＺｎＯ等の光透過性金属酸化物からなってもよく、反射型電極は例えば、Ａｇ、Ｍｇ、Ａｌ、Ｐｔ、Ｐｄ、Ａｕ、Ｎｉ、Ｎｄ、Ｉｒ、Ｃｒ、Lｉ、Ｃａ等の金属からなってもよい。
【００６３】
有機膜（ＯＧ）は、正孔輸送層（未図示）、発光層（未図示）及び電子輸送層（未図示）を含む。正孔輸送層（未図示）は、アノード（Ａ）と発光層（未図示）との間に配置され、発光層（未図示）は、正孔輸送層（未図示）と電子輸送層（未図示）との間に配置され、電子輸送層（未図示）は、発光層（未図示）とカソード（Ｃ）との間に配置される。有機膜（ＯＧ）は、正孔注入層（未図示）をさらに含んでいてもよい。このとき、正孔注入層（未図示）は、アノード（Ａ）と正孔輸送層（未図示）との間に配置されてもよい。有機膜（ＯＧ）は、電子注入層（未図示）をさらに含んでいてもよい。このとき、電子注入層（未図示）は、電子輸送層（未図示）とカソード（Ｃ）との間に配置されてもよい。
【００６４】
正孔注入層（未図示）は、アノード（Ａ）から発光層（未図示）に正孔の注入を円滑にする役割を果たし、例えば、ＨＡＴ−ＣＮ、ＣｕＰｕ（ｃｕｐｐｅｒ  ｐｈｔｈａｌｏｃｙａｎｉｎｅ）、ＰＥＤＯＴ（ｐｏｌｙ（３，４）−ｅｔｈｙｌｅｎｅｄｉｏｘｙｔｈｉｏｐｈｅｎｅ）、ＰＥＤＯＴ：ＰＳＳ（ｐｏｌｙ（３，４）−ｅｔｈｙｌｅｎｅｄｉｏｘｙｔｈｉｏｐｈｅｎｅ）ｐｏｌｙ（ｓｔｙｒｅｎｅｓｕｌｆｏｎａｔｅ））、ＰＡＮＩ（ｐｏｌｙａｎｉｌｉｎｅ）及びＮＰＤ（Ｎ，Ｎ−ｄｉｎａｐｈｔｈｙｌ−Ｎ，Ｎ’−ｄｉｐｈｅｎｙｌ  ｂｅｎｚｉｄｉｎｅ）のうち少なくとも一つを含んでいてもよい。
【００６５】
正孔輸送層（未図示）は、正孔の輸送を円滑にする役割を果たし、例えば、ＮＰＤ（Ｎ，Ｎｄｉｎａｐｈｔｈｙｌ−Ｎ，Ｎ’−ｄｉｐｈｅｎｙｌｂｅｎｚｉｄｉｎｅ）、ＴＰＤ（Ｎ，Ｎ’−ｂｉｓ−（３−ｍｅｔｈｙｌｐｈｅｎｙｌ）−Ｎ，Ｎ’−ｂｉｓ−（ｐｈｅｎｙｌ）−ｂｅｎｚｉｄｉｎｅ）、ｓ−ＴＡＤ及びＭＴＤＡＴＡ（４，４’，４”−Ｔｒｉｓ（Ｎ−３−ｍｅｔｈｙｌｐｈｅｎｙｌ−Ｎ−ｐｈｅｎｙｌ−ａｍｉｎｏ）−ｔｒｉｐｈｅｎｙｌａｍｉｎｅ）のうち少なくとも一つを含んでいてもよい。
【００６６】
発光層（未図示）は、赤色発光層（未図示）、緑色発光層（未図示）及び青色発光層（未図示）の積層構造、又は青色発光層（未図示）及び黄緑色発光層（未図示）の積層構造を含んでいてもよく、白色光を発光することができる。
【００６７】
電子輸送層（未図示）は、電子の輸送を円滑にする役割を果たし、例えば、Ａｌｑ３（ｔｒｉｓ（８−ｈｙｄｒｏｘｙｑｕｉｎｏｌｉｎｏ）ａｌｕｍｉｎｕｍ）、ＰＢＤ、ＴＡＺ、ｓｐｉｒｏ−ＰＢＤ、ＢＡｌｑ及びＳＡｌｑのうち少なくとも一つを含んでいてもよい。
【００６８】
電子注入層（未図示）は、電子の注入を円滑にする役割を果たし、例えば、Ａｌｑ３（ｔｒｉｓ（８−ｈｙｄｒｏｘｙｑｕｉｎｏｌｉｎｏ）ａｌｕｍｉｎｕｍ）、ＰＢＤ、ＴＡＺ、ｓｐｉｒｏ−ＰＢＤ、ＢＡｌｑ及びＳＡｌｑのうち少なくとも一つを含んでいてもよい。
【００６９】
回路基板は、基板（Ｓｕｂ）上に配置された駆動薄膜トランジスタ（Ｔｄ）を含む。示してはいないが、回路基板にはスイッチング薄膜トランジスタ（未図示）等が基板（Ｓｕｂ）上にさらに配置されていてもよい。基板（Ｓｕｂ）は、透明基板であり、通常に用いられるガラス基板、透明高分子樹脂基板等であってもよい。基板（Ｓｕｂ）と駆動薄膜トランジスタ（Ｔｄ）との間には、基板（Ｓｕｂ）の平坦度を改善するためのバッファ層（未図示）を介在させてもよく、バッファ層（未図示）は、珪素酸化物等の無機酸化物、珪素窒化物等の無機窒化物等から構成されてもよい。
【００７０】
駆動薄膜トランジスタ（Ｔｄ）は、基板（Ｓｕｂ）上に配置され、半導体層３１０、第１の絶縁膜３２０、ゲート電極３３０、第２の絶縁膜３４０、ソース電極３５２及びドレーン電極３５４を含む。
【００７１】
半導体層３１０は、基板（Ｓｕｂ）の第１領域上に配置される。例えば、半導体層３１０は、酸化物半導体材からなっても、多結晶シリコンからなってもよい。半導体層３１０が多結晶シリコンからなる場合、半導体層３１０は、活性層（未図示）と活性の両側に配置されたチャンネル領域（未図示）とを含んでいてもよい。
【００７２】
第１の絶縁膜３２０は、ゲート電極３３０と基板（Ｓｕｂ）との間に配置され、第１の絶縁膜３２０の一部は、基板（Ｓｕｂ）の第１領域で半導体層３１０上に配置され、第１の絶縁膜３２０の他の一部は、基板（Ｓｕｂ）の第２領域上に配置される。基板（Ｓｕｂ）の第１領域と第２領域は、互いに独立した領域であり、本明細書では、基板（Ｓｕｂ）の第１領域は、半導体層３１０が形成された領域に定義されてもよい。第１の絶縁膜３２０は、珪素酸化物等の無機酸化物、珪素窒化物等の無機窒化物等から構成されてもよい。
【００７３】
ゲート電極３３０は、第１の絶縁膜３２０上に配置され、基板（Ｓｕｂ）の第１領域で半導体層３１０と重畳するように配置される。ゲート電極３３０は、アルミニウム（Ａｌ）とアルミニウム合金等のアルミニウム系金属、銀（Ａｇ）と銀合金等の銀系金属、銅（Ｃｕ）と銅合金等の銅系金属、モリブデン（Ｍｏ）とモリブデン合金等のモリブデン系金属、クロム（Ｃｒ）、チタン（Ｔｉ）、タンタリウム（Ｔａ）等からなってもよい。
【００７４】
第２の絶縁膜３４０は、第１の絶縁膜３２０とゲート電極３３０上に配置され、具体的には、第２の絶縁膜３４０の一部は、第１の絶縁膜３２０上に配置され、第２の絶縁膜３４０の他の一部は、ゲート電極３３０上に配置される。第２の絶縁膜３４０は、第１の絶縁膜３２０のように、珪素酸化物等の無機酸化物、珪素窒化物等の無機窒化物等から構成されてもよい。
【００７５】
第２の絶縁膜３４０上にはソース電極３５２、ドレーン電極３５４、第１のカラーフィルタ部（Ｒ−ＣＦ）及び第２のカラーフィルタ部（Ｇ−ＣＦ）が配置される。赤色画素及び緑色画素それぞれにおけるソース電極３５２及びドレーン電極３５４は、第２の絶縁膜３４０において互いに離隔して配置される。赤色画素における第１のカラーフィルタ部（Ｒ−ＣＦ）は、ソース電極３５２及びドレーン電極３５４が配置された領域と独立した領域において、第１の色変換部（Ｒ−ＣＣＭ）と重畳するように第２の絶縁膜３４０上に配置されてもよい。緑色画素における第２のカラーフィルタ部（Ｇ−ＣＦ）は、ソース電極３５２及びドレーン電極３５４が形成された領域と独立した領域において、第２の色変換部（Ｇ−ＣＣＭ）と重畳するように第２の絶縁膜３４０上に配置されてもよい。
【００７６】
ソース電極３５２及びドレーン電極３５４は、第１の絶縁膜３２０と第２の絶縁膜３４０に備えられたコンタクト孔等を介して半導体層３１０と連結される。ソース電極３５２とドレーン電極３５４は、Ａｌ、Ａｇ、Ｍｇ、Ｍｏ、Ｔｉ又はＷ等の金属から構成されてもよい。
【００７７】
上部封止層（ＥＣ）は、カソード（Ｃ）上に配置され、外部から水気又は空気等が有機膜（ＯＧ）へ浸透することを防ぎ、外部の衝撃から有機膜（ＯＧ）を保護する役割が可能である。
【００７８】
図３は、図１のＩＩ領域の模式的な断面図であり、図４は、図１のＩＩＩ領域の模式的な断面図である。以下では、図２を参照して既に説明した内容を省略する。図３のＩＩ領域は、緑色画素と青色画素を模式的に示したものであり、図４のＩＩＩ領域は、青色画素と白色画素を模式的に示したものである。
【００７９】
赤色画素及び緑色画素と異なり、青色画素及び白色画素には、パッシベーション膜（ＰＡＣ）上で第３のカラーフィルタ部（Ｂ−ＣＦ）と第４のカラーフィルタ部（Ｗ−ＣＦ）とが重畳するように配置された色変換パターンが存在しない。
【００８０】
赤色画素及び緑色画素それぞれのアノード（Ａ）と異なり、青色画素及び白色画素それぞれのアノード（Ａ）は、パッシベーション膜（ＰＡＣ）上に配置された平坦部である第１パート（ＡＦ）のみから構成される。言い換えれば、青色画素及び白色画素それぞれのアノード（Ａ）は、第１パート（ＡＦ）に対して凸状の第２パート（ＡＰ）が存在しない。
【００８１】
赤色画素及び緑色画素の有機膜（ＯＧ）と違って、青色画素及び白色画素の有機膜（ＯＧ）は、画素定義膜３８０上に配置された平坦部（ＯＧＦ）とアノード（Ａ）上に配置され、平坦部（ＯＧＦ）に対して凹状の凹部（ＯＧＣ）から構成される。言い換えれば、青色画素及び白色画素それぞれの有機膜（ＯＧ）は、平坦部（ＯＧＦ）に対して凸状の凸部（ＯＧＰ）が存在しない。
【００８２】
赤色画素及び緑色画素のカソード（Ｃ）と違って、青色画素及び白色画素のカソード（Ｃ）は、平坦部（ＣＦ）と平坦部（ＣＦ）に対して凹状の凹部（ＣＣ）から構成される。言い換えれば、青色画素及び白色画素それぞれのカソード（Ｃ）は、平坦部（ＣＦ）に対して凸状の凸部（ＣＰ）が存在しない。
【００８３】
色変換フィルタ上に直接に色変換パターンが配置された後、パッシベーション膜が形成される構造は、ＷＲＧＢピクセル別の高さの段差が上昇し、このような段差の上昇は、パッシベーション膜のコーティング後、孔形成の際に孔の均一度に影響を及ぼすことになり、結局、アノードの電気的特性に問題を起こし得る。
【００８４】
自発光表示装置１０００は、上記構造の短所を解決するために発明されたものであって、パッシベーション膜にコンタクト孔を形成した後、色変換パターンを形成することができるため、サブピクセル間のコンタクト孔のばらつきを防ぐことができる。また、自発光表示装置１０００は、パッシベーション膜（ＰＡＣ）上に色変換パターンが配置されるため、色変換パターンを厚く設計することができ、上記構造に比べて色変換効率を向上させる。
【００８５】
また、自発光表示装置１０００は、色変換部（Ｒ−ＣＣＭ、Ｇ−ＣＣＭ）のテーパー特性によってレンズ状のピクセル構造化が可能であるため、外部光抽出効率を向上させる長所がある。具体的には、自発光表示装置１０００は、色変換部（Ｒ−ＣＣＭ、Ｇ−ＣＣＭ）のテーパー特性によってアノード（Ａ）がテーパー面を有するようになり、アノード（Ａ）のテーパー面で光経路が変化し、アノード（Ａ）と有機膜（ＯＧ）の屈折率差によって導波モード（ｗａｖｅ−ｇｕｉｄｅｄ  ｍｏｄｅ）から有機膜（ＯＧ）内で孤立光として消失する光を外部へ抽出することができる。
【００８６】
また、自発光表示装置１０００は、カソード（Ｃ）のテーパー面により色変換部（Ｒ−ＣＣＭ、Ｇ−ＣＣＭ）によって反射した光が側面へ漏れることを防ぐことができ、前面への集光効果を発揮することができる。
【００８７】
以上のように、添付の図面を参照して実施形態を説明したが、発明は、前記実施形態に限定されるものではなく、各実施形態に開示した内容を組み合わせて異なる様々な形態に製造することができ、発明が属する技術分野における通常の知識を有する者は、発明の技術的思想や必須な特徴を変更せずに他の具体的な形態で実施できることが理解される。従って、以上で記述した実施形態は、あらゆる面で例示的なものであり、限定的ではないと理解しなければならない。
【図１】
2020057605.tif 000003
【図２】
2020057605.tif 000004
【図３】
2020057605.tif 000005
【図４】
2020057605.tif 000006